(57)【要約】【課題】  簡単に工具を着脱できる工具用ハンドルの提供。【解決手段】  工具用ハンドルに着脱機構を設け、該着脱機構により速やかに孔開け工具を取付可能で、ハンドルで孔開け工具を駆動して孔開け作業を行なうことができる。この着脱機構はビーズ、可動リング、弾性部品を具え、このビーズはハンドルの取付孔にて移動可能で、一旦工具がハンドルに挿入されると、可動リングに設計されたテーパ面がビーズを押圧してこの工具の嵌合部分に嵌入させ、この可動リングが回されるとビーズがテーパ面による制圧を喪失し、工具を速やかに取り外せる。【選択図】        図５
0003136427.tif 000002
【実用新案登録請求の範囲】
【請求項１】
工具用ハンドルに着脱機構により工具が装着され、中心ドリルが該工具内に挿入され、動力源に連結されたハンドルが該中心ドリルを駆動して工具を連帯して孔あけ作業を行なう、工具用ハンドルにおいて、
該ハンドルの一端が非円形の駆動部とされ、別端に向けて筒状の嵌合部が延伸され、該嵌合部に楕円形を呈する複数の接続孔が環状に配設され、該接続孔の近隣部分に径方向に沿って内向きに突出する固定部品と外向きに突出するピンが設けられ、
該工具は円筒状を呈し下端に複数の刃が設けられたさん孔体であり、該さん孔体の刃と異なる一端に頭部が設けられ、該頭部の端縁に複数のＵ形溝が凹設され、該Ｕ形溝と該さん孔体の間に受け孔が設けられ、該工具の頭部が前述の嵌合部に挿入され、該固定部品が対応するＵ形溝内に挿入され、且つ該受け孔と前述の接続孔が相互に対応し、
該着脱機構は、
直径が該接続孔の長さより小さい複数のビーズであって、該接続孔を通して対応する受け孔内に置かれる、上記複数のビーズと、
二つの内径を有する可動リングであって、該可動リングが該嵌合部の外周に設けられ、二つの内径の間に垂直の壁面が形成され、最大内径の一端の開口から該壁面に収容空間が形成され、最小内径の一端の開口から該壁面に複数の着脱溝が等分に設けられ、二つの近隣の着脱溝の間に押さえ部が設けられ、該着脱溝の内径は該押さえ部より大きく、該押さえ部と該嵌合部の接続孔が相互に対応し、一端の開口部分に該ピンの走行する軌道が凹設され、別端に該壁面より内向きに傾斜するテーパ面が設けられ、該テーパ面が該ビーズの該接続孔外に露出した部分に接触する、上記可動リングと、
ワッシャに組み合わされた複数のスナップリングであって、該可動リングの両端の嵌合部の位置に係合された、上記スナップリングと、
該収容空間のワッシャと壁面の間に設けられた弾性部品と、
を包含することを特徴とする、工具用ハンドル。
【請求項２】
請求項１記載の工具用ハンドルにおいて、該ハンドルの駆動部と嵌合部の間に連接部が設けられ、該工具に挿入される中心ドリルが該連接部内に固定されることを特徴とする、工具用ハンドル。
【請求項３】
請求項１記載の工具用ハンドルにおいて、該嵌合部の該接続孔の近隣の位置に挿入孔が穿たれ、該固定部品が該挿入孔内に螺合或いは緊迫結合されることを特徴とする、工具用ハンドル。
【請求項４】
工具用ハンドルにおいて、
ハンドルであって、動力源に連結される一端とは異なる一端が筒状の嵌合部とされ、該嵌合部に径方向に沿って内向きに少なくとも一つの固定部品が突出し、並びに軸方向に該固定部品の近隣部分に接続孔が設けられ、該接続孔が楕円形を呈する孔とされた、上記ハンドルと、
工具であって、円筒状を呈して下端に複数の刃が設けられたさん孔体を具え、該さん孔体の刃のある一端と異なる一端に該嵌合部に挿入される頭部が設けられ、該頭部に少なくとも一つの、該接続孔に対応する受け孔が設けられ、該受け孔から端縁の間にＵ形溝が凹設され、該固定部品が該Ｕ形溝内に置かれる、上記工具と、
少なくとも一つのビーズであって、直径が該接続孔の長さより小さく、該接続孔を通して対応する該受け孔内に置かれる、上記ビーズと、
二つの内径を具えた可動リングであって、該可動リングは該嵌合部の外周に設けられ、二つの内径の間に垂直の壁面が設けられ、該壁面から一端の開口に収容空間が形成され、該収容空間と異なる一端に等分に複数の着脱溝が設けられ、二つの近隣の着脱溝の間に内径が該着脱溝より小さい押さえ部が設けられ、該押さえ部の一端に傾斜するテーパ面が設けられ、該テーパ面がビーズの接続孔の外部に露出する部分に抵触する、上記可動リングと、
弾性部品であって、該収容空間のハンドルに嵌合され、該ハンドルに係合するスナップリングにワッシャが組み合わされて、該弾性部品が該可動リングの壁面を押圧し、該可動リングの該収容空間と異なる一端がスナップリングに組み合わされたワッシャにより嵌合部に位置制限される、上記弾性部品と、
を包含することを特徴とする、工具用ハンドル。
【請求項５】
請求項４記載の工具用ハンドルにおいて、該嵌合部の該固定部品近くの部分に外向きに突出するピンがあり、該押さえ部の一端の開口の部分に該ピンの走行する軌道が凹設され、該軌道が高低落差のある勾配設計とされたことを特徴とする、工具用ハンドル。
【請求項６】
請求項４記載の工具用ハンドルにおいて、中心ドリルをさらに具え、該中心ドリルが該工具を通過して該ハンドルに位置決めされることを特徴とする、工具用ハンドル。
【請求項７】
請求項４記載の工具用ハンドルにおいて、該嵌合部の該接続孔近くの位置を貫通するように挿入孔が設けられ、該挿入孔に該固定部品が螺合或いは緊迫結合されることを特徴とする、工具用ハンドル。
【考案の詳細な説明】
【技術分野】
【０００１】
本考案は一種の工具用ハンドルに係り、特に金属及び非金属材に対して孔開けするための工具を簡単に着脱できる工具用ハンドルに関する。
【背景技術】
【０００２】
孔開け技術領域においては、通常、下端にドリルを設けたさん孔体を回転させて、一定速度下で孔開け作業を行い、孔の直径に合わせてさん孔体を交換する。ゆえに続々と各種の円孔切削に必要な工具を挟持し、簡単且つ確実に工具の交換作業が行なえるハンドルが開発されている。
【０００３】
図１は周知のハンドル（１）を示し、その一端は駆動部（１１）とされ、別端は筒状嵌合部（１２）とされ、工具（１３）の頭部（１４）はこの嵌合部（１２）に挿入される。工具（１３）の頭部（１４）と異なる一端は筒形刃部（１５）とされ、中心ドリル（１６）が挿入端（１７）を以て工具（１３）の中央の孔（１８）を通りハンドル（１）に挿入され、このハンドル（１）にネジ部品（１９）によりそれぞれ工具（１３）と中心ドリル（１６）が緊迫固定される。
【０００４】
一般に工作物に孔開けを行なう時に発生する反作用力は、直接工具（１３）と中心ドリル（１６）に伝わり、このためネジ部品（１９）が緩んで、工具（１３）或いは中心ドリル（１６）がハンドル（１）の制御より離脱して脱落しやすい。このほか緊迫固定される工具（１３）の頭部（１４）、さらには中心ドリル（１６）の挿入端（１７）はいずれもハンドル（１）内部と許容されるギャップを有し、このギャップは加工時に形成される誤差でもあり、このギャップはネジ部品（１９）によっては解消されず、操作時に工具（１３）或いは中心ドリル（１６）がハンドル（１）内に縮入する可能性があり、円孔の切削品質と制度に影響が生じる。
【０００５】
図２、３は別の快速着脱式の孔開け工具の構造であり、ハンドル（２）に環状の工具（２１）が嵌合され、この工具（２１）の中央に中心ピン（２２）が連結され、ビーズ（２３）がスリーブ（２４）の異なる内径部分を転がる機構を利用し、簡単に工具（２１）をハンドル（２）に対して装着或いは分離させられる。凹部（２５）の深さが不一致であるため、ビーズ（２３）が凹部（２５）に嵌入した後に、スリーブ（２４）の内周と僅かなギャップが発生し得て、これにより工具（２１）がハンドル（２）においてぐらつき、間接的に中心ピン（２２）の正確性に影響が生じる。
【考案の開示】
【考案が解決しようとする課題】
【０００６】
本考案の目的の一つは、一種の工具用ハンドルを提供することにあり、それは工具の着脱を速やかに行なえ、工具を圧迫してハンドルに緊接させられるものとする。
【課題を解決するための手段】
【０００７】
請求項１の考案は、工具用ハンドルに着脱機構により工具が装着され、中心ドリルが該工具内に挿入され、動力源に連結されたハンドルが該中心ドリルを駆動して工具を連帯して孔あけ作業を行なう、工具用ハンドルにおいて、
該ハンドルの一端が非円形の駆動部とされ、別端に向けて筒状の嵌合部が延伸され、該嵌合部に楕円形を呈する複数の接続孔が環状に配設され、該接続孔の近隣部分に径方向に沿って内向きに突出する固定部品と外向きに突出するピンが設けられ、
該工具は円筒状を呈し下端に複数の刃が設けられたさん孔体であり、該さん孔体の刃と異なる一端に頭部が設けられ、該頭部の端縁に複数のＵ形溝が凹設され、該Ｕ形溝と該さん孔体の間に受け孔が設けられ、該工具の頭部が前述の嵌合部に挿入され、該固定部品が対応するＵ形溝内に挿入され、且つ該受け孔と前述の接続孔が相互に対応し、
該着脱機構は、
直径が該接続孔の長さより小さい複数のビーズであって、該接続孔を通して対応する受け孔内に置かれる、上記複数のビーズと、
二つの内径を有する可動リングであって、該可動リングが該嵌合部の外周に設けられ、二つの内径の間に垂直の壁面が形成され、最大内径の一端の開口から該壁面に収容空間が形成され、最小内径の一端の開口から該壁面に複数の着脱溝が等分に設けられ、二つの近隣の着脱溝の間に押さえ部が設けられ、該着脱溝の内径は該押さえ部より大きく、該押さえ部と該嵌合部の接続孔が相互に対応し、一端の開口部分に該ピンの走行する軌道が凹設され、別端に該壁面より内向きに傾斜するテーパ面が設けられ、該テーパ面が該ビーズの該接続孔外に露出した部分に接触する、上記可動リングと、
ワッシャに組み合わされた複数のスナップリングであって、該可動リングの両端の嵌合部の位置に係合された、上記スナップリングと、
該収容空間のワッシャと壁面の間に設けられた弾性部品と、
を包含することを特徴とする、工具用ハンドルとしている。
請求項２の考案は、請求項１記載の工具用ハンドルにおいて、該ハンドルの駆動部と嵌合部の間に連接部が設けられ、該工具に挿入される中心ドリルが該連接部内に固定されることを特徴とする、工具用ハンドルとしている。
請求項３の考案は、請求項１記載の工具用ハンドルにおいて、該嵌合部の該接続孔の近隣の位置に挿入孔が穿たれ、該固定部品が該挿入孔内に螺合或いは緊迫結合されることを特徴とする、工具用ハンドルとしている。
請求項４の考案は、工具用ハンドルにおいて、
ハンドルであって、動力源に連結される一端とは異なる一端が筒状の嵌合部とされ、該嵌合部に径方向に沿って内向きに少なくとも一つの固定部品が突出し、並びに軸方向に該固定部品の近隣部分に接続孔が設けられ、該接続孔が楕円形を呈する孔とされた、上記ハンドルと、
工具であって、円筒状を呈して下端に複数の刃が設けられたさん孔体を具え、該さん孔体の刃のある一端と異なる一端に該嵌合部に挿入される頭部が設けられ、該頭部に少なくとも一つの、該接続孔に対応する受け孔が設けられ、該受け孔から端縁の間にＵ形溝が凹設され、該固定部品が該Ｕ形溝内に置かれる、上記工具と、
少なくとも一つのビーズであって、直径が該接続孔の長さより小さく、該接続孔を通して対応する該受け孔内に置かれる、上記ビーズと、
二つの内径を具えた可動リングであって、該可動リングは該嵌合部の外周に設けられ、二つの内径の間に垂直の壁面が設けられ、該壁面から一端の開口に収容空間が形成され、該収容空間と異なる一端に等分に複数の着脱溝が設けられ、二つの近隣の着脱溝の間に内径が該着脱溝より小さい押さえ部が設けられ、該押さえ部の一端に傾斜するテーパ面が設けられ、該テーパ面がビーズの接続孔の外部に露出する部分に抵触する、上記可動リングと、
弾性部品であって、該収容空間のハンドルに嵌合され、該ハンドルに係合するスナップリングにワッシャが組み合わされて、該弾性部品が該可動リングの壁面を押圧し、該可動リングの該収容空間と異なる一端がスナップリングに組み合わされたワッシャにより嵌合部に位置制限される、上記弾性部品と、
を包含することを特徴とする、工具用ハンドルとしている。
請求項５の考案は、請求項４記載の工具用ハンドルにおいて、該嵌合部の該固定部品近くの部分に外向きに突出するピンがあり、該押さえ部の一端の開口の部分に該ピンの走行する軌道が凹設され、該軌道が高低落差のある勾配設計とされたことを特徴とする、工具用ハンドルとしている。
請求項６の考案は、請求項４記載の工具用ハンドルにおいて、中心ドリルをさらに具え、該中心ドリルが該工具を通過して該ハンドルに位置決めされることを特徴とする、工具用ハンドルとしている。
請求項７の考案は、請求項４記載の工具用ハンドルにおいて、該嵌合部の該接続孔近くの位置を貫通するように挿入孔が設けられ、該挿入孔に該固定部品が螺合或いは緊迫結合されることを特徴とする、工具用ハンドルとしている。
【考案の効果】
【０００８】
本考案は、一種の工具用ハンドルを提供し、それは工具の着脱を速やかに行なえ、工具を圧迫してハンドルに緊接させられる。
【０００９】
本考案の実施例は以下のような具体的な長所を有する。
ａ）ワッシャが研削屑の可動リング内部への飛散進入を防止する。
ｂ）着脱機構を利用して速やかに工具を交換できる。
ｃ）工具交換に中心ドリルを取り外す必要がなく、中心点のアライメント作業の進行に影響を与えない。
ｄ）工具が頭部端面を具備するか、或いは頭部とさん孔体の間の垂直壁面がハンドルに緊接し、さん孔作業時に工具が工作物に接触して内縮する弊害がない。
ｅ）テーパ面がビーズに圧接して受け孔内で移動可能で、Ｕ形溝に固定部品が組み合わされた設計は工具をハンドルに緊接させて工具を確実に駆動できる。
ｆ）高低の落差のある勾配軌道設計により可動リングが確実に工具の嵌合時の制御関係と工具とハンドルの分離関係を実行できる。
【考案を実施するための最良の形態】
【００１０】
本考案の工具用ハンドルは、
ハンドルであって、動力源に連結される一端とは異なる一端が筒状の嵌合部とされ、該嵌合部に径方向に沿って内向きに少なくとも一つの固定部品が突出し、並びに軸方向に該固定部品の近隣部分に接続孔が設けられ、該接続孔が楕円形を呈する孔とされた、上記ハンドルと、
工具であって、円筒状を呈して下端に複数の刃が設けられたさん孔体を具え、該さん孔体の刃のある一端と異なる一端に該嵌合部に挿入される頭部が設けられ、該頭部に少なくとも一つの、該接続孔に対応する受け孔が設けられ、該受け孔から端縁の間にＵ形溝が凹設され、該固定部品が該Ｕ形溝内に置かれる、上記工具と、
少なくとも一つのビーズであって、直径が該接続孔の長さより小さく、該接続孔を通して対応する該受け孔内に置かれる、上記ビーズと、
二つの内径を具えた可動リングであって、該可動リングは該嵌合部の外周に設けられ、二つの内径の間に垂直の壁面が設けられ、該壁面から一端の開口に収容空間が形成され、該収容空間と異なる一端に等分に複数の着脱溝が設けられ、二つの近隣の着脱溝の間に内径が該着脱溝より小さい押さえ部が設けられ、該押さえ部の一端に傾斜するテーパ面が設けられ、該テーパ面がビーズの接続孔の外部に露出する部分に抵触する、上記可動リングと、
弾性部品であって、該収容空間のハンドルに嵌合され、該ハンドルに係合するスナップリングにワッシャが組み合わされて、該弾性部品が該可動リングの壁面を押圧し、該可動リングの該収容空間と異なる一端がスナップリングに組み合わされたワッシャにより嵌合部に位置制限される、上記弾性部品と、
を包含し、そのうち、該ビーズ、可動リング、弾性部品からスナップリング、ワッシャまでの部品が総合して着脱機構と称される。
【実施例１】
【００１１】
図４に示されるハンドル（３）は着脱機構（４）を具え、該ハンドル（３）は着脱機構（４）により速やかに工具（５）を取付られ、該工具（５）に中心ドリル（５７）が挿入され、該ハンドル（３）により工具（５）が駆動されて中心ドリル（５７）が連帯駆動され孔開け作業を行なう。該工具（５）は本実施例では末端にドリルが設けられた円筒形状とされるほか、筒形外表に複数の等距離の螺旋刃が設計された工具とされ得て、言い換えると、本考案のいわゆる工具（５）は比較的深い孔を孔開けする環形孔開け用切削工具とされうる。
【００１２】
図５、６、７に示されるハンドル（３）の一端は非円形の駆動部（３１）とされ、もう一端に向けて連接部（３２）と筒形の嵌合部（３３）が延伸され、該嵌合部（３３）に等距離に複数の接続孔（３４）が環状配置され、各接続孔（３４）は楕円形孔状とされ、各該接続孔（３４）と連接部（３２）の間に軸方向に沿って挿入孔（３５）が穿たれ、該挿入孔（３５）内壁は平滑面とされるか、或いは雌ネジが設けられ、並びに近隣位置にピン（３６）を具備している。
【００１３】
前述の工具（５）はさん孔体（５１）を具え、該さん孔体（５１）は円筒状を呈し、下端に複数の研削用の刃（５２）を具え、別端に頭部（５３）が設けられ、該頭部（５３）の端縁に複数のＵ形溝（５４）が凹設され、各該Ｕ形溝（５４）とさん孔体（５１）の間に受け孔（５５）を具えている。該工具（５）は頭部（５３）を以てハンドル（３）の嵌合部（３３）中に挿入され、複数の固定部品（５６）が該挿入孔（３５）より対応するＵ形溝（５４）内に挿入され、該固定部品（５６）は挿入孔（３５）内に螺合或いは挿入孔（３５）内に緊迫結合される。
【００１４】
該工具（５）とハンドル（３）の嵌合関係は、前述の着脱機構（４）を利用して維持される。該着脱機構（４）は複数のビーズ（４１）、可動リング（４２）、複数のスナップリング（４３）、複数のワッシャ（４４）及び一つの弾性部品（４５）を包含する。そのうち、該ビーズ（４１）は各接続孔（３４）を通り対応する受け孔（５５）内に挿入され、該接続孔（３４）の長さはビーズ（４１）の直径より大きく、これによりビーズ（４１）が接続孔（３４）中で移動可能とされる。
【００１５】
該可動リング（４２）は横断面が階段状を呈する二つの内径を具え、該ハンドル（３）の嵌合部（３３）外周に嵌合される。図６を合わせて参照されると明らかであるように、該可動リング（４２）の二つの内径の間に垂直の壁面（４２１）が形成され、最大内径の一端の開口から該壁面（４２１）が、該嵌合部（３３）の外周において環形の収容空間（４２２）を形成する。最小の内径の一端の開口から該壁面（４２１）の、比較的大きな内径部分に複数の等分の着脱溝（４２３）が凹設され、二つの隣り合う該着脱溝（４２３）の間に半径が壁面と等しい押さえ部（４２４）が形成されている。
【００１６】
該押さえ部（４２４）の嵌合部（３３）の接続孔（３４）に対応する一端において、開口の部分に軌道（４２５）が凹設され、別端に該壁面（４２１）より内向きに傾斜するテーパ面（４２６）が設けられ、該テーパ面（４２６）が受け孔（５５）を押圧して工具（５）のハンドル（３）からの離脱を防止する。
【００１７】
前述のスナップリング（４３）はワッシャ（４４）と合わせて該ハンドル（３）の嵌合部（３３）外周に嵌合され、該可動リング（４２）を制限して嵌合部（３３）の両端からの脱出を防止する。そのうち、一つのワッシャ（４４）が該可動リング（４２）の収容空間（４２２）に挿入され、該ワッシャ（４４）と壁面（４２１）の間に弾性部品（４５）が設置され、弾力を利用して該可動リング（４２）が押動されて連接部（３２）に近いワッシャ（４４）が押圧される。
【００１８】
前述の中心ドリル（５７）は該工具（５）中に挿入され、図６に示されるように、該中心ドリル（５７）の刃のない一端は該工具（５）の頭部（５３）を通過して該ハンドル（３）の連接部（３２）内に挿入され、ネジ部品（１９）により該ハンドル（３）に緊迫固定される。
【００１９】
該ハンドル（３）は駆動部（３１）により続けて動力を受けて回転する。該中心ドリル（５７）は直接ハンドル（３）に連帯回転して工作物に孔開けし、また該固定部品（５６）はＵ形溝（５４）の壁面を押動し、該工具（５）を駆動し間接的にハンドル（３）に伴い回転させて研削を行ないうる。
【００２０】
図８、９に示されるように、該可動リング（４２）はハンドル（３）が回転動作し、該嵌合部（３３）の突出するピン（３６）がその軌道（４２５）上に抵触し、該軌道（４２５）の勾配に沿って高低落差を形成し、該可動リング（４２）を案内して弾性部品（４５）に向けてある角度回転移動させる。こうして、該可動リング（４２）の壁面（４２１）が弾性部品（４５）を押圧し、同時に該ビーズ（４１）のテーパ面（４２６）を制圧し、該可動リング（４２）が回転して近隣の着脱溝（４２３）に変換され、該着脱溝（４２３）の半径はテーパ面（４２６）より大きく、ゆえに該受け孔（５５）はそれ以上ビーズ（４１）の制圧を受けず、工具（５）の取り外しが簡単に達成される。
【００２１】
同様に該可動リング（４２）を回転させて、必要なさん孔体（５１）の工具（５）を取り付けることができ、該固定部品（５６）を対応するＵ形溝（５４）中に挿入できる。反対方向に可動リング（４２）を回転させると、該テーパ面（４２６）は再度ビーズ（４１）を制圧し、該受け孔（５５）がビーズ（４１）の制圧を受け、弾力で該テーパ面（４２６）の押圧作用を補助する作用下で、該工具（５）の頭部（５３）の端面（５３１)が嵌合部（３３）の内端面（３３１）に緊密に当接するか、或いは該頭部（５３）とさん孔体（５１）の間の垂直壁面（５１１）が、該嵌合部（３３）の開口端の環形壁面（３３２）に当接し、工具（５）がしっかりとハンドル（３）に接合され、安定した孔開け加工が行なえる。端面（５３１）、内端面（３３１）、垂直壁面（５１１）及び環形壁面（３３２）の対応位置については図５を参照されたい。
【００２２】
図１０は比較的大きな直径のさん孔体（５１）の工具（５）への交換を示す。
【図面の簡単な説明】
【００２３】
【図１】環形研削用途の周知のハンドルと工具の分解図である。
【図２】環形研削用途の別の周知のハンドルと工具の組合せ断面図である。
【図３】図２の局部動作表示図である。
【図４】本考案の好ましい実施例の組合せ表示図である。
【図５】図４の分解図である。
【図６】図４の組合せ断面図である。
【図７】図６中の可動リングの局部拡大図である。
【図８】本考案の工具頭部とビーズ、可動リングの相対関係表示図であり、点線でビーズの移動位置を表示している。
【図９】図８のＡ−Ａ断面図であり、点線でピンとビーズの移動の対応関係を表示している。
【図１０】図１の実施例で比較的大きな工具に交換した例の組合せ断面図である。
【符号の説明】
【００２４】
１  ハンドル
１１  駆動部            １２  嵌合部
１３  工具              １４  頭部
１５  刃                １６  中心ドリル
１７  挿入端            １８  孔
１９  ネジ部品
２  ハンドル
２１  工具              ２２  中心ピン
２３  ビーズ            ２４  スリーブ
２５  凹部
３  ハンドル
３１  駆動部            ３２  連接部
３３  嵌合部            ３３１  内端面
３３２  環形壁面        ３４  接続孔
３５  挿入孔            ３６  ピン
４  着脱機構
４１  ビーズ            ４２  可動リング
４２１  壁面            ４２２  収容空間
４２３  着脱溝          ４２４  押さえ部
４２５  軌道            ４２６  テーパ面
４３  スナップリング    ４４  ワッシャ
４５  弾性部品
５  工具
５１  さん孔体          ５１１  垂直壁面
５２  刃                ５３  頭部
５３１  端面            ５４  Ｕ形溝
５５  受け孔            ５６  固定部品
５７  中心ドリル
【図１】
0003136427.tif 000003
【図２】
0003136427.tif 000004
【図３】
0003136427.tif 000005
【図４】
0003136427.tif 000006
【図５】
0003136427.tif 000007
【図６】
0003136427.tif 000008
【図７】
0003136427.tif 000009
【図８】
0003136427.tif 000010
【図９】
0003136427.tif 000011
【図１０】
0003136427.tif 000012
【手続補正書】
【提出日】平成19年8月15日(2007.8.15)
【手続補正１】
【補正対象書類名】明細書
【補正対象項目名】０００３
【補正方法】変更
【補正の内容】
【０００３】
図１は周知のハンドル（１）を示し、その一端は駆動部（１１）とされ、別端は筒状嵌合部（１２）とされ、工具（１３）の頭部（１４）はこの嵌合部（１２）に挿入される。工具（１３）の頭部（１４）と異なる一端は筒形の刃（１５）とされ、中心ドリル（１６）が挿入端（１７）を以て工具（１３）の中央の孔（１８）を通りハンドル（１）に挿入され、このハンドル（１）にネジ部品（１９）によりそれぞれ工具（１３）と中心ドリル（１６）が緊迫固定される。